【事件の表示】
　特願２０１５−１０６４３「オンチップフレームバッファを使用したオーバドライブによるＬＣＤ応答時間の改良」拒絶査定不服審判事件〔平成２７年７月２日出願公開、特開２０１５−１２１７９９〕について、次のとおり審決する。
【結　論】
　本件審判の請求は、成り立たない。
【理　由】
第１　手続の経緯
　この審判事件に関する特許出願（以下、「本願」という。）は、２００８年（平成２０年）１０月２日及び２００９年（平成２１年）１月２２日にアメリカ合衆国でされた特許出願に基づくパリ条約の優先権を主張して平成２１年９月２４日にされた国際特許出願（特願２０１１−５３０１１８）の一部を、平成２７年１月２２日に新たな特許出願である外国語書面出願としたものである。その後、同年２月４日及び平成２８年６月７日に特許請求の範囲についての補正がされ、同年８月３１日付けで拒絶査定がされ、同年９月５日に査定の謄本が送達された。
　これに対して、同年１２月２７日に拒絶査定不服審判が請求され、同時に特許請求の範囲についての補正（以下、「本件補正」という。）がされた。
第２　本件補正の却下の決定
［結論］
　本件補正を却下する。
［理由］
　本件補正は、以下に述べるとおり、外国語書面の翻訳文（以下、単に「翻訳文」という。）に記載した事項の範囲内においてしたものでないから、特許法第１７条の２第３項に規定する要件を満たしていない。
　したがって、本件補正は、同法第１５９条第１項において読み替えて準用する同法第５３条第１項の規定により却下するべきものである。
１　本件補正の内容
（１）本件補正は、特許請求の範囲の請求項１の記載を以下のとおりとすることを含む。下線は、補正箇所を示すために当審が付した。
「【請求項１】
　ディスプレイをオーバドライブする方法であって、
　前記ディスプレイ上に現在表示されているディスプレイの画素を示す現在の画素強度レベルを含む現在のピクチャフレームを受信することと、
　前記ディスプレイの前記画素に対応する目標画素強度レベルを含む目標ピクチャフレームを受信することと、
　前記目標ピクチャフレームを前記現在のピクチャフレームと比較することであって、該比較することは前記目標画素強度レベルを前記現在の画素強度レベルと比較することを含む、比較することと、
　前記目標ピクチャフレームと前記現在のピクチャフレームとの前記比較に基づいて、前記目標ピクチャフレームに対する調整が行われるべきであると決定することと、
　前記調整が行われるべきであると決定することに応じて、前記ディスプレイの前記画素に対応する調整画素強度レベルを含む調整ピクチャフレームを生成することであって、前記調整画素強度レベルは前記ディスプレイの前記画素を前記目標画素強度レベルを超えてオーバドライブすることにより達成される、前記目標画素強度レベルに
あるかそれに
　前記調整ピクチャフレームに基づいて、規定された期間内に達成可能な達成可能ピクチャフレームを生成することと、
　前記達成可能ピクチャフレームを前記現在のピクチャフレームとして格納することと、
を含
み、
　
前記達成可能ピクチャフレームは、
　
前記ディスプレイの前記画素に対応する第１達成可能画素強度レベルであって前記所与の期間後に前記調整画素強度レベルに等しい第１達成可能画素強度レベルと、
　
前記ディスプレイの前記画素に対応する第２達成可能画素強度レベルであって前記所与の期間後に前記調整画素強度レベルよりも低いか高い第２達成可能画素強度レベルと、
　
からなるグループから選択されるひとつを含
（２）本件補正後の請求項１の「前記達成可能ピクチャフレームは、前記ディスプレイの前記画素に対応する第１達成可能画素強度レベルであって前記所与の期間後に前記調整画素強度レベルに等しい第１達成可能画素強度レベルと、前記ディスプレイの前記画素に対応する第２達成可能画素強度レベルであって前記所与の期間後に前記調整画素強度レベルよりも低いか高い第２達成可能画素強度レベルと、からなるグループから選択されるひとつを含む」という記載によれば、本件補正後の請求項１に係る発明（以下、「本件補正発明」という。）の「達成可能ピクチャフレーム」は、「第１達成可能画素強度レベル」及び「第２達成可能画素強度レベル」のいずれかを含む。そして、「第１達成可能画素強度レベル」は、「所与の期間後に」「調整画素強度レベルに等しい」ものであり、「第２達成可能画素強度レベル」は、「所与の期間後に」「調整画素強度レベルよりも低いか高い」ものである。
　そうすると、本件補正発明は、「達成可能ピクチャフレーム」に含まれる達成可能画素強度レベルが所与の期間後に調整画素強度レベルに等しいか、調整画素強度レベルよりも低いか、調整画素強度レベルよりも高いかのいずれかであるという技術的事項を含むものである。
２　翻訳文に記載された事項
（１）翻訳文の記載
　翻訳文には、以下の記載がある。下線は、当審が付した。
「【背景技術】
　…（中略）…
　【０００３】
　液晶ディスプレイ（ＬＣＤ）は、現代の電子デバイスのための表示デバイスとして広範に使用されている。一般にＬＣＤは、画像の集合を生成するために照明される、画素の配列を含む。
ＬＣＤの応答時間は、各画素を形成する液晶が現在の強度レベルから新しい目標強度レベルに遷移するのにかかる時間を測定したものとすることができる。例えば応答時間は、ＬＣＤ画素が完全にアクティブな状態（黒）から完全に非アクティブな状態（白）に変化する
のに必要な時間とすることができる。ディスプレイの応答時間が遅すぎると、
デジタルノイズが表示されるかあるいはＬＣＤ上でゴースティングが発生する。
ある特定の場合において、ＬＣＤの応答時間はそのリフレッシュ期間を上回る。このような場合、ＬＣＤは、ユーザにとって望ましくない画面アーチファクトを表示する。従って、ＬＣＤの応答時間を加速させる技術が必要である。
「【課題を解決するための手段】
　…（中略）…
　【０００５】
　信号調整回路を有する電子デバイスが提供される。一実施形態において、信号調整回路は、ＬＣＤの１つ以上の画素に送出されている信号を調整するために使用される。
信号調整回路は、目標ピクチャフレームの特定の画素位置に対する所定の目標画素強度を所定のフレームリフレッシュ期間中にＬＣＤ上で実現するのは困難である可能性があることを判定する。これは、ＬＣＤ上に表示されている現在の画素強度及び／又は目標画素強度に基づいて判定される。困難であると判定された場合、信号調整回路は、所定の画素位置に対して目標画素レベルを調整し、この調整された信号をＬＣＤドライバに送出する。調整された信号は、１つ以上のフレーム期間において目標画素をオーバドライブする。目標画素をオーバドライブした場合、画素の強度は調整された目標レベルには到達しないが、元の所定の目標レベルには到達する。
「【発明を実施するための形態】
　…（中略）…
　【００３１】
　ステップ６６において、信号調整回路５６は、目標ピクチャフレームにおいて各画素強度レベルを調査し、あらゆる画素強度レベルについて調整が必要かどうかを判定する。例えば、ディスプレイ２４が１つのフレーム内で目標ピクチャフレームの現在の画素強度レベルから目標画素強度レベルに正常に遷移できない場合、調整することが必要になる。例えば、ディスプレイ２４における画素は２５ｍｓで黒色から白色に遷移できるが、その画素において一方の階調から他方の階調への遷移が完了するには数百ミリ秒かかる場合がある。従って、ディスプレイ２４は６０Ｈｚでリフレッシュされるが、例えば一方の階調から他方の階調への遷移は２５〜３０Ｈｚでのみ達成されるため、ディスプレイ２４上の画像を汚すことになる。従って、信号調整回路５６は各画素をオーバドライブし、それにより、一方の画素強度レベルから他方の画素強度レベルにより迅速に遷移できるようにする。
画素をオーバドライブすることは、規定された時間、すなわち１つのフレームの期間内において目標画素強度レベル又はそれに近接する実際の画素強度レベルを実現するために、画素が目標画素強度レベルを越えて駆動される処理である。従って、オーバドライブされた画素は規定された時間でオーバドライブされた画素強度レベルには到達できないであろうが、画素がオーバドライブされて到達した実際の画素強度レベルは元の目標画素強度レベルと等しくなり得る。
　【００３２】
　ステップ６８において、信号調整回路５６は、調整されたピクチャフレーム及び達成可能なピクチャフレームを生成する。調整されたピクチャフレームは、ディスプレイ２４において画素をオーバドライブするためにビデオコントローラ５８に送信される調整された画素レベルを含む。しかし、
ディスプレイ２４の画素をオーバドライブする場合、画素は設定時間内で目標ピクチャフレームを実現できない場合がある。例えば、ある画素位置では、目標画素強度レベルに到達する前に２つ以上のフレームに対してオーバドライブされる。信号調整回路は、調整されたピクチャフレームを適用した後の１つのフレームにおいてディスプレイ２４により実際に生成される達成可能な画素強度レベルを把握している。
　【００３３】
　しかし、目標ピクチャフレームと、調整されたピクチャフレームと、達成可能なピクチャフレームとの間で、これらのピクチャフレームのうちのいくつか又は全てが同等となる、ある特定の場合がある。例えば、
フレーム間で画像が不変である場合、調整の必要はなく且つ上述のピクチャフレームは全て同等となるであろう。ディスプレイ２４が１つのフレーム内で目標ピクチャフレームに正常に遷移できる場合も同様である。
ディスプレイ２４が調整されたピクチャフレームを適用することによってのみ１つのフレーム内で目標ピクチャフレームに正常に遷移できる場合、目標ピクチャフレーム及び達成可能なピクチャフレームは互いに同等であるが、調整されたピクチャフレームとは異なるだろう。
　…（中略）…
　【００３８】
　信号調整回路５６は調整回路７８を更に含む。調整回路７８は、目標ピクチャフレームを受信し、バッファ７４に格納された現在のピクチャフレームを取得する。調整回路７８は、これら２つのピクチャフレームに基づいて、ルックアップテーブル７６にアクセスし、あらゆる画素強度レベルに対して調整が必要かどうかを判定し且つ目標画素強度レベルに到達できるようにするオーバドライブレベルを判定する。例えば、ディスプレイ２４が現在の画素強度レベルから目標ピクチャフレームの目標画素強度レベルに１つのフレーム内では正常に遷移できない場合、調整することが必要となる。
調整回路７８は、ルックアップテーブル７６からのオーバドライブレベルに基づいて、規定された時間、すなわち１つのフレーム内での目標画素強度レベル又はそれに近接した実際の画素強度レベルへの到達を実現するために、調整された画素強度レベルをビデオコントローラ５８に送信する。
（２）翻訳文に記載された事項の検討
　翻訳文の前記（１）の記載（特に下線を付した部分）によれば、以下のことが認められる。
ア　液晶ディスプレイ（ＬＣＤ）の画素の応答時間は、例えば画素が完全にアクティブな状態（黒）から完全に非アクティブな状態（白）に変化するのに必要な時間であり、これがＬＣＤのリフレッシュ期間を上回るほど長くなると、ユーザにとって望ましくない画面アーチファクトが表示されるので、画素の応答時間を短くする必要があるという課題があった（【０００３】）。
イ　この課題を解決するために、ＬＣＤに含まれるある画素の現在の画素強度レベルと目標ピクチャフレーム中の対応する画素の目標画素強度レベルとに基づいて、所定のフレームリフレッシュ期間（単一のフレーム期間）内にその目標画素強度レベルを実現することが困難か否かを判定し、困難と判断された場合は、その目標画素強度レベルに代えて、調整された画素強度レベル（調整画素強度レベル）を１つ以上のフレーム期間においてＬＣＤドライバに送出し、その画素をオーバドライブすることによって、現在の画素強度レベルから調整画素強度レベルには到達できないものの、元の目標画素強度レベル又はほぼ元の目標画像強度レベルには到達できるようにする（【０００５】、【００３８】）。
ウ　画素のオーバドライブとは、フレーム期間内に目標画素強度レベル又はそれに近接する画素強度レベルを実現するために、目標画素強度レベルを越えて画素を駆動することによって、ある画素強度レベルから別の画素強度レベルへの遷移を迅速化する処理であり、その結果、実際の画素強度レベルは、フレーム期間内に調整画素強度レベルには到達できないが、元の目標画素強度レベルとは等しくなり得る（【００３１】）。
　ここで、調整画素強度レベルは、画素をオーバドライブするために１つ以上のフレーム期間においてＬＣＤドライバに送出するものであるから（前記イ）、目標画素強度レベルを越えて画素を駆動できる階調レベルであり、したがって、目標画素強度レベルを越える階調レベルである。
　実際の画素強度レベルが設定時間内に目標画素強度レベルに到達できない場合は、設定時間内に実際に達成された達成可能画素強度レベルを把握し、その画素を再びオーバドライブする（【００３２】）。
　ここで、実際の画素強度レベルは目標画素強度レベルに到達できない一方、達成可能画素強度レベルは実際に達成されているのであるから、達成可能画素強度レベルが目標画素強度レベルに到達していないことは明らかである。
エ　フレーム間で画像が不変の場合や、画素をオーバドライブするまでもなく、１つのフレーム内で目標画素強度レベルが達成できる場合は、調整の必要がない（目標画素強度レベルをそのまま調整画素強度レベルとすればよい）し、目標画素強度レベルはフレーム期間内に既に達成されていることになるから、目標画素強度レベル、調整画素強度レベル及び達成可能画素強度レベルは全て等しくなる（【００３３】）。
オ　画素のオーバドライブにより１つのフレーム内で目標ピクチャフレームに正常に遷移できる場合は、実際の画素強度レベルが目標画素強度レベルに到達できることになるから、目標画素強度レベルと達成可能画素強度レベルとは等しくなる一方、調整画素強度レベルは目標画素強度レベルを越える階調レベルであるから、実際の画素強度レベルは調整画素強度レベルに到達していないことになる（【００３３】）。
カ　以上のことをまとめると、達成可能画素強度レベルは、フレーム期間内に目標画素強度レベルと等しくなることもあるし（前記エ及びオ）、目標画素強度レベルに到達しないこともある（前記ウ）。そして、調整画素強度レベルは、目標画素強度レベルと等しくなることもあるものの（前記エ）、一般には、目標画素強度レベルを越える階調レベルである（前記ウ）。したがって、達成可能画素強度レベルは、フレーム期間内に調整画素強度レベルと等しくなることもあるが、一般には、調整画素強度レベルに到達しないことになる。
　そうすると、翻訳文には、達成可能画素強度レベルはフレーム期間内に調整画素強度レベルと等しくなるか、調整画素強度レベルに到達しないかのいずれかであることが記載されている。
３　判断
（１）前記１（２）のとおり、本件補正発明は、「達成可能ピクチャフレーム」に含まれる達成可能画素強度レベルが所与の期間後に調整画素強度レベルに等しいか、調整画素強度レベルよりも低いか、調整画素強度レベルよりも高いかのいずれかであるという技術的事項を含むものである。
　すなわち、本件補正発明は、達成可能画素強度レベルと調整画素強度レベルとの関係について、３通りの可能性を含む。
　この点は、請求人も認めるところである。すなわち、請求人は、当業者が本件補正発明に至ることが困難な理由として、引用文献１ないし引用文献５に記載されたオーバドライブ技術はたかだか目標画素強度以下のレベルに画素をオーバドライブするものであり、いずれも二つの可能性を開示するのみであって、三つの可能性を開示するものではないことを挙げている（審判請求書、第５ページ第１５行ないし第２３行）。この主張は、本件補正発明が３通りの可能性を含むことを前提とするものと解される。
（２）一方、前記２（２）カのとおり、翻訳文には、達成可能画素強度レベルはフレーム期間内に調整画素強度レベルと等しくなるか、調整画素強度レベルに到達しないかのいずれかであるという技術的事項が記載されている。そして、翻訳文には、達成可能画素強度レベルが調整画素強度レベルに到達してそれと等しくなるレベルを越える可能性があることは、記載も示唆もされてもいない。
　そもそも、画素のオーバドライブは、画素の応答時間が長すぎると、実際の画素強度レベルが規定の期間内に目標画素強度レベルに到達しなくなる結果、ユーザにとって望ましくない画面アーチファクトが生じるという課題を解決しようとするものであるから（翻訳文【０００３】、【０００５】、【００３１】）、画素をオーバドライブした結果、実際に達成された達成可能画素強度レベルが目標画素強度レベルと等しくなれば、目的は達成される。すなわち、画素のオーバドライブの目的からすれば、実際の画素強度レベルを、目標画素強度レベルを越えるレベルにまで到達させて、達成可能画素強度レベルが目標画素強度レベルを越えるようにする必要はなく、そのようなことは最初から想定されていないといわざるを得ない。
　そして、調整画素強度レベルは、目標画素強度レベルと等しいか、それを越える階調レベルなのであるから、達成可能画素強度レベルが調整画素強度レベルを越えるようにすることもまた、最初から想定されていないことが明らかである。
　したがって、翻訳文には、達成可能画素強度レベルと調整画素強度レベルとの関係について、達成可能画素強度レベルはフレーム期間内に調整画素強度レベルと等しくなるか、調整画素強度レベルに到達しないかの２通りの可能性しか記載されていない。
（３）以上に述べたとおり、達成可能画素強度レベルと調整画素強度レベルとの関係について、本件補正発明は３通りの可能性を含むのに対し、翻訳文には２通りの可能性しか記載されていないのであるから、本件補正発明が含む技術的事項が翻訳文に記載された技術的事項の範囲内にないことは明らかである。
　したがって、本件補正発明が含む技術的事項は、翻訳文の全ての記載を総合することにより導かれる技術的事項との関係において、新たな技術的事項を導入しないものであるということはできず、翻訳文に記載した事項の範囲内にあるとはいえない。
４　請求人の主張について
　請求人は、翻訳文には「画素をオーバドライブすることは、規定された時間、すなわち１つのフレームの期間内において目標画素強度レベル又はそれに近接する実際の画素強度レベルを実現するために、画素が目標画素強度レベルを越えて駆動される処理である。」（【００３１】）という記載があり、この記載における「目標画素強度レベル又はそれに近接する」との表現は目標画素強度レベルよりも高いか低いか又はそれと等しいレベルであり得ることを示すと主張し、したがって、「調整画素強度レベル」は目標画素強度レベルよりも低いか高いか又はそれと等しいレベルであり得ると主張する（審判請求書、第５ページ第２４行ないし第６ページ第３行）。
（１）しかし、前記３（２）のとおり、画素のオーバドライブのそもそもの目的からすれば、実際の画素強度レベルが目標画素強度レベルを越えるようにする必要はなく、そのようなことは最初から想定されていない。
　そうすると、翻訳文の【００３１】の記載における「目標画素強度レベル又はそれに近接する実際の画素強度レベルを実現する」との表現は、目標画素強度レベルを実現するか、目標画素強度レベルには到達しないものの、それに近接する実際の画素強度レベルを実現するかの２通りのいずれかであることを示すものと解するのが相当である。
　したがって、「目標画素強度レベル又はそれに近接する」との表現が目標画素強度レベルよりも高いか低いか又はそれと等しいレベルの３通りであり得ることを示すとする請求人の主張は、採用することができない。
（２）また、翻訳文に記載されているとおり、「画素をオーバドライブすることは、」「画素が目標画素強度レベルを越えて駆動される処理である」（【００３１】）から、画素は、目標画素強度レベルを越えるレベルにまで駆動される。この駆動は、目標画素強度レベルに代えて調整画素強度レベルをＬＣＤドライバに送出することによって行われるから（【０００５】）、調整画素強度レベルとしては、目標画素強度レベルを越えるものが想定されていることは明らかである。
　仮に、調整画素強度レベルが目標画素強度レベルに達しないものであるとすると、それをＬＣＤドライバに送出し、実際の画素強度レベルがその調整画素強度レベルに到達したとしても、その調整画素強度レベルが元の目標画素強度レベルに達しないものである以上、実際の画素強度レベルが元の目標画素強度レベルには到達することはない。そうすると、「１つのフレームの期間内において目標画素強度レベル又はそれに近接する実際の画素強度レベルを実現するために」（【００３１】）という目的に照らして意味がないことは明らかである。
　したがって、請求人の主張は、目標画素強度レベルに代えて調整画素強度レベルで画素を駆動することの技術的意義を失わせるものであり、採用することができない。
（３）さらに、仮に請求人が主張するとおり、調整画素強度レベルが目標画素強度レベルよりも低いか高いか又はそれと等しいレベルであり得るとしても、これは、達成可能画素強度レベルが調整画素強度レベルよりも高いか低いか又はそれと等しいレベルであり得ることを直ちに意味するものではなく、翻訳文には達成可能画素強度レベルはフレーム期間内に調整画素強度レベルと等しくなるか、調整画素強度レベルに到達しないかのいずれかであることが記載されているとの認定（前記２（２）カ）を左右するものではない。
　したがって、請求人の主張は、当を得ない。
５　本件補正の却下の決定のむすび
　以上に述べたとおり、本件補正は、特許法第１７条の２第３項に規定する要件を満たしていないから、同法第１５９条第１項において読み替えて準用する同法第５３条第１項の規定により却下するべきものである。
第３　本願に係る発明についての判断
１　原査定の概要
　本願の請求項１ないし請求項２０に係る発明は、いずれも、下記の引用文献１、引用文献２又は引用文献３に記載された発明と、例えば引用文献４及び引用文献５に記載された周知技術とに基づいて、当業者が容易に発明をすることができたものであるから、特許法第２９条第２項の規定により特許を受けることができない。
　　引用文献１：特開２００４−２４６３１２号公報
　　引用文献２：特開昭６４−０１０２９９号公報
　　引用文献３：特開２００８−００３３０１号公報
　　引用文献４：国際公開第２００８／０６２５７７号
　　引用文献５：特開２００６−１２６２５６号公報
２　本願に係る発明
（１）前記第２のとおり、本件補正は却下されたので、本願の請求項１ないし請求項２０に係る発明は、本願の本件補正前の特許請求の範囲の請求項１ないし請求項２０に記載された事項により特定されるものである。特に、本願の請求項１に係る発明（以下、「本願発明」という。）は、以下のとおりのものである。
「【請求項１】
　ディスプレイをオーバドライブする方法であって、
　前記ディスプレイ上に現在表示されているディスプレイの画素を示す現在の画素強度レベルを含む現在のピクチャフレームを受信することと、
　前記ディスプレイの前記画素に対応する目標画素強度レベルを含む目標ピクチャフレームを受信することと、
　前記目標ピクチャフレームを前記現在のピクチャフレームと比較することであって、該比較することは前記目標画素強度レベルを前記現在の画素強度レベルと比較することを含む、比較することと、
　前記目標ピクチャフレームと前記現在のピクチャフレームとの前記比較に基づいて、前記目標ピクチャフレームに対する調整が行われるべきであると決定することと、
　前記調整が行われるべきであると決定することに応じて、前記ディスプレイの前記画素に対応する調整画素強度レベルを含む調整ピクチャフレームを生成することであって、前記調整画素強度レベルは前記ディスプレイの前記画素を前記目標画素強度レベルを超えてオーバドライブすることにより達成される、前記目標画素強度レベルに近接する値を有する、生成することと、
　前記調整ピクチャフレームに基づいて、規定された期間内に達成可能な達成可能ピクチャフレームを生成することと、
　前記達成可能ピクチャフレームを前記現在のピクチャフレームとして格納することと、
を含む方法。」
（２）翻訳文の前記第２の２（１）の記載（特に【０００３】）によれば、本願発明は、液晶ディスプレイ（ＬＣＤ）の画素の応答時間がＬＣＤのリフレッシュ期間を上回るほど長くなると、ユーザにとって望ましくない画面アーチファクトが表示されるので、画素の応答時間を短くする必要があるという課題を解決しようとするものである。
３　引用文献１に記載された発明
（１）引用文献１の記載
　引用文献１には、以下の記載がある。下線は、当審が付した。
「【０００１】
【発明の属する技術分野】
本発明は、
動画表示に好適に用いられる液晶表示装置に関する。
【０００２】
【従来の技術】
液晶表示装置は、例えばパーソナルコンピュータ、ワードプロセッサ、アミューズメント機器、テレビ装置などに用いられている。さらに、液晶表示装置の応答特性を改善し、高画質の動画表示を得るための検討がなされている。
【０００３】
特許文献１は、大画面、高解像度の画素表示に対応できる液晶制御回路および液晶パネルの駆動方法を開示している。具体的には、液晶に印加している現在の電圧値と、次のフィールドで液晶に印加する電圧値とを比較・演算し、電圧値を補正することによって、液晶の立ち上がり時の応答時間が短縮されることを開示している。
【０００４】
【特許文献１】
特開平３−１７４１８６号公報（第１図〜第４図参照）
【０００５】
特許文献１に開示された液晶パネルの駆動方法について、図１３を参照しながら説明する。図１３では、補正前の電圧データがフィールド番号Ｆ４でＤ１からＤ５に変化している場合を示している。
【０００６】
図１３に示すように、Ｖ１、Ｖ５で示す電圧が比較的小さく、つまりコモン電圧に近く、かつＶ５−Ｖ１＞０なる関係が成り立つときは、液晶の立ち上がり速度が遅いので、透過量が所定の値まで変化するのに長時間を要する。ＴＮ（Ｔｗｉｓｔｅｄ　Ｎｅｍａｔｉｃ）液晶を反射モードで用いた液晶パネルであって、液晶が光を透過させない最小電圧値が２．０Ｖ、液晶が最大量の光を透過させる最大の電圧値が３．５Ｖの液晶パネルを一例とする。この液晶パネルにおいて、印加電圧Ｖ１を２．０Ｖ、変化した電圧Ｖ５を２．５Ｖとすると、透過量が所定の値になる時間は、約７０〜１００ｍｓｅｃである。したがって、応答に要する時間は２フィールド以上となるので、画像の尾ひきが発生する。
【０００７】
この応答時間は、Ｖ５が大きくなるほど小さくなり、２フィールド内の３３ｍｓｅｃ以内に応答するようになる。このように電圧Ｖ５が所定値より小さいときは、電圧Ｖ５を印加するフィールドＦ４で電圧Ｖ５よりも高い電圧が印加されるように電圧データを補正する。具体的には、液晶制御回路によって、フィールドＦ３とＦ４のデータを比較したとき、その画素の電圧変化量がわかるので、データ補正器（特許文献１の第２図参照）によって、フィールドＦ４のデータをＤ５からＤ７に補正する。ソースドライブＩＣ（特許文献１の第１図参照）は、フィールドＦ４で前記補正電圧データＤ７によりソース信号線にＶ７なる電圧を印加する。したがって、液晶の立ち上がり特性は改善され、Ｆ４で示す１フィールド内で所定の透過量Ｔ５が得られる。
【０００８】
この液晶パネルによれば、たとえば電圧Ｖ７として３．０〜３．５Ｖを印加することによって、２０〜３０ｍｓｅｃに応答時間を改善できる。
【０００９】
【発明が解決しようとする課題】
液晶表示装置においては、動画のボケのない高画質を得るために、液晶の高速応答が求められている。特許文献１に開示された方法によれば、液晶の応答は高速化する。しかし、液晶応答が遅い条件では、液晶に印加している電圧値に対応する液晶パネルの定常状態の透過率と、実際の液晶パネルの透過率との間に差が生じるので、電圧値の補正が正確にできないという問題がある。例えば、低温環境下では液晶応答速度が低下するので、中間調付近でも目標とする階調に到達しなくなるおそれがある。
【００１０】
また、高階調から、階調電圧の設定値の中で極限に近い電圧値に対応する低階調に遷移する場合や、低階調から、階調電圧の設定値の中で極限に近い電圧値に対応する高階調に遷移する場合などでは、液晶パネルへの印加電圧が飽和するので、目標とする階調に到達しなくなるおそれがある。あるいは、電圧値の補正方法の精度が低い場合には、実用にたえる補正値を得られずに、目標の階調に到達しないおそれがある。このように、目標の階調に到達していない状態で、次フィールドの駆動を行うと、誤差が蓄積する。これらの結果、動画表示で残像現象による画像のボヤケが発生したり、動画像の輪郭に輝点が表示されたりした。
【００１１】
本発明は、上記の問題に鑑みてなされたものであり、その目的は、高画質な動画表示の液晶表示装置を提供することにある。」
「【００２１】
本願明細書において、
液晶表示装置において表示を行うために液晶層に印加される電圧を階調電圧Ｖｇと呼び、例えば、０階調（黒）〜６３階調（白）の全６４階調表示を行う場合、０階調の表示を行うための階調電圧ＶｇをＶ０、６３階調の表示を行うための階調電圧ＶｇをＶ６３で示す。
【００２２】
以下では、
液晶表示装置で表示すべき画像情報を与える信号を入力画像信号Ｓと呼び、それぞれの入力画像信号Ｓに応じて画素に印加される電圧を階調電圧Ｖｇと呼ぶ。６４階調の入力画像信号（Ｓ０〜Ｓ６３）は、それぞれ階調電圧（Ｖ０〜Ｖ６３）に一対一で対応する。階調電圧Ｖｇは、それぞれの階調電圧Ｖｇが印加された液晶層が定常状態に到達したときに、それぞれの入力画像信号Ｓに対応する透過率（表示状態）となるように設定される。
【００２３】
液晶表示装置は、例えばインターレース駆動され、
インターレース駆動における１フィールド
をここでは１垂直期間と称する。
【００２４】
オーバーシュート電圧を検出するための入力画像信号Ｓの比較は、全ての画素のそれぞれに対する前垂直期間の入力画像信号Ｓと現垂直期間の入力画像信号Ｓとの間で行われる。
インターレース駆動の場合でも、１フレーム前のその画素に対する入力画像信号Ｓや上下のラインの入力画像信号Ｓが補完信号として使用され、１垂直期間中に全ての画素に相当する信号が与えられる。そして、前フィールドと現フィールドのこれらの入力画像信号Ｓが比較される。
「【００２７】
【発明の実施の形態】
以下に、図面を参照しながら、本発明による実施形態の液晶表示装置を説明する。以下では、垂直配向型のＮＢモードの液晶表示装置を例に本発明の実施形態を説明するが、本発明はこれに限定されない。例えば、本発明を水平配向型のＮＢモードの液晶表示装置や垂直配向型液晶層または水平配向型液晶層を備えたＮＷモードの液晶表示装置に適用することもできる。なお、１フィールドが１垂直期間に相当するインターレース駆動方式の液晶表示装置を例に本発明の実施形態を説明するが、本発明はこれに限られず、１フレームが１垂直期間に相当するノンインターレース駆動方式の液晶表示装置にも適用できる。
【００２８】
（オーバーシュート駆動）
本明細書で
オーバーシュート駆動とは、前垂直期間（直前の垂直期間）と現垂直期間との入力画像信号Ｓを比較し現垂直期間の入力画像信号Ｓに対応する階調電圧を補正する、液晶パネルの駆動法を指す。この比較・補正された階調電圧をオーバーシュートされた電圧という。例えば、現垂直期間の入力画像信号Ｓに対応する階調電圧が前垂直期間の入力画像信号Ｓに対応する階調電圧Ｖｇよりも高い場合には、現垂直期間の入力画像信号に対応する階調電圧Ｖｇよりもさらに高い電圧であり、逆に、現垂直期間の入力画像信号Ｓに対応する階調電圧が前垂直期間の入力画像信号に対応する階調電圧Ｖｇよりも低い場合には、現垂直期間の入力画像信号Ｓに対応する階調電圧Ｖｇよりもさらに低い電圧を指す。
【００２９】
本発明の液晶表示装置では、前垂直期間の入力画像信号Ｓが、現フィールドにおける液晶パネルの透過率（予測値）に即して適切に加工されている。」
「【００６７】
（実施形態２）
図５は、本発明による実施形態２の液晶表示装置が備える駆動回路１０ａの構成を示す模式図である。
便宜上、信号Ｓに対応する階調レベルをＳで表すことがある。例えば、信号Ｓ１２８に対応する階調レベルをＳ１２８と表すことがある。
【００６８】
駆動回路１０ａは、外部からの入力画像信号Ｓを受け取り、それに応じた駆動電圧を液晶パネル１５に供給する。駆動回路１０ａは、組合せ検出回路１２と、オーバーシュート電圧検出回路１３と、極性反転回路１４と、予測値検出回路１６と、予測値記憶回路１７と、オーバーシュート（以下、「ＯＳ」ともいう。）パラメータテーブル１８と、予測テーブル１９とを有する。
【００６９】
組合せ検出回路１２は、予測値記憶回路１７に保持された予測信号と、現フィールドの入力画像信号とを比較し、その組合せを示す信号（組合せ信号）を予測値検出回路１６に出力する。また、組合せ検出回路１２は、ＯＳパラメータテーブル１８を参照して、前述の組み合わせに対応する階調レベルを検出し、オーバーシュート電圧検出回路１３に出力する。オーバーシュート予測値検出回路１６は、予測テーブル１９を参照して、組合せ検出回路１２で検出された組合せ信号に対応する予測値（階調レベル）を検出する。以下、ＯＳパラメータテーブル１８に設定された階調レベルを「ＯＳパラメータ」ともいう。
【００７０】
予測値記憶回路１７は、予測値検出回路１６で検出された信号を保持する。
【００７１】
一方、
オーバーシュート電圧検出回路１３は、組合せ検出回路１２から出力されたＯＳパラメータに対応する駆動電圧を、
検出する。極性反転回路１４は、オーバーシュート電圧検出回路１３で検出された駆動電圧を交流信号に変換し、液晶パネル（表示部）１５に供給する。
【００７２】
ＯＳパラメータテーブル１８には、２個の信号のそれぞれに対応する階調レベルを組み合わせた階調遷移のパターン毎に、
目標階調レベルが設定されている。また、ＯＳパラメータテーブル１８には、
限界階調レベルが設定されている。
【００７３】
図６は、本実施形態のＯＳパラメータテーブル１８を示す図である。本実施形態のＯＳパラメータテーブル１８には、３２階調ごとの代表的な階調遷移パターンについて、オーバーシュート電圧に対応する目標階調レベルおよび限界階調レベルが記録されている。その他の階調遷移パターンについては、テーブル１８に記録された階調レベルから計算で求められる。
【００７４】
図６を参照しながら、目標階調レベルおよび限界階調レベルについて具体的に説明する。目標階調レベルは、液晶パネル１５の光学応答を１フィールド内に完了させることを目標とする階調レベルであり、予測値記憶回路１７に保持された予測信号に対応する階調レベルと、現フィールドの入力画像信号に対応する階調レベルとの組合せに対応して設定されている。
【００７５】
しかし、
予測信号と入力画像信号との組合せ（階調遷移パターン）によっては、目標階調レベルに達しない階調レベルを設定せざるを得ない場合がある。
例えば、Ｓ０からＳ２５５に遷移する場合であっても、上限の階調レベルＳ２５５を設定せざるを得ない場合があり、同様に、Ｓ２５５からＳ０に遷移する場合であっても、下限の階調レベルＳ０を設定せざるを得ない場合がある。これら階調レベルＳ０，Ｓ２５５に対応する階調電圧を液晶パネル１５へ印加しても、印加電圧が飽和しているので、目標とする階調レベルには到達しない。言い換えれば、階調遷移パターンによっては、目標階調レベルに達せず、かつ液晶パネル１５が表示可能な限界階調レベルを設定せざるを得ない場合がある。
【００７６】
このように、ＯＳパラメータテーブル１８に格納されるＯＳパラメータは、１フィールド後に目標の階調に到達するように決められた目標階調レベルであるか、あるいは目標階調レベルに達しない限界階調レベルである。しかし、階調遷移パターンによっては、液晶応答が遅いので、設定された目標階調レベルを用いても、１フィールド後に目標の階調レベルに到達しないこともある。本実施形態では、予測テーブル１９から、現フィールドで実際に到達する階調レベルの予測値を求め、この予測値に基づいて、次フィールドの入力画像信号を補正する。
【００７７】
予測テーブル１９には、オーバーシュート電圧検出回路１３が極性反転回路１４を介して液晶パネル１５に目標電圧レベルまたは限界電圧レベルを印加した場合に、液晶表示パネル１５が１フィールド後に実際に到達する到達階調レベルが、階調遷移のパターン毎に設定されている。なお、目標電圧レベルとは、目標階調レベルに対応する電圧値であり、限界電圧レベルとは、限界階調レベルに対応する電圧値である。
【００７８】
図７は、本実施形態の予測テーブル１９を示す図である。本実施形態の予測テーブル１９には、３２階調ごとの代表的な階調遷移パターンについて、オーバーシュート電圧によって、そのフィールド中に到達する階調レベルが記録されている。
テーブル１９に記録された階調レベルは、予め測定することにより求められ、その他の階調遷移パターンについては、テーブル１９に記録された階調レベルから計算で求められる。
【００７９】
本実施形態における駆動回路１０ａの動作を２フィールドにわたって説明する。
例えば、ある画素についての入力画像信号Ｓがフィールド毎にＳ２５５，Ｓ６４，Ｓ１２８の順に変化するとする。
【００８０】
１フィールド目では、
組合せ検出回路１２は、現フィールドの入力画像信号Ｓ６４と、予測値記憶回路１７に保持されている信号Ｓ２５５との組合せ（Ｓ２５５、Ｓ６４）を検出する。さらに、ＯＳパラメータテーブル１８から、この組み合わせに応じたＯＳパラメータＳ０を検出し、オーバーシュート電圧検出回路１３に出力する。
【００８１】
オーバーシュート電圧検出回路１３は、ＯＳパラメータＳ０に対応した階調電圧Ｖ０を検出し、階調電圧Ｖ０を駆動電圧として極性反転回路１４に供給する。極性反転回路１４は、オーバーシュート電圧検出回路１３で検出された駆動電圧（階調電圧Ｖ０）を交流信号に変換し、液晶パネル１５に供給する。
【００８２】
一方、
予測値検出回路１６は、組合せ検出回路１２によって検出された組合せ（Ｓ２５５、Ｓ６４）に応じて、予測テーブル１９から予測信号Ｓ１３４を検出し、予測値記憶回路１７がこれを保持する。
【００８３】
続いて、
２フィールド目では、
組合せ検出回路１２は、現フィールドの入力画像信号Ｓ１２８と、予測値記憶回路１７に保持されている予測信号Ｓ１３４との組合せ（Ｓ１３４、Ｓ１２８）を検出し、オーバーシュート電圧検出回路１３に出力する。オーバーシュート電圧検出回路１３は、ＯＳパラメータＳ１２０に対応した階調電圧Ｖ１２０を検出し、階調電圧Ｖ１２０を駆動電圧として極性反転回路１４に供給する。
【００８４】
一方、
予測値検出回路１６は、組合せ検出回路１２によって検出された組合せ（Ｓ１３４、Ｓ１２８）に応じて、予測テーブル１９から予測信号Ｓ１２８を計算により検出し、予測値記憶回路１７がこれを保持する。
【００８５】
組合せ検出回路１２による検出動作について、より具体的に説明する。この例では、ｎ−１番目の入力画像信号による階調（Ｓ２５５）からｎ番目の入力画像信号による階調（Ｓ６４）へ階調が遷移している。言い換えれば、ｎ−１番目の入力画像信号とｎ番目の入力画像信号との階調レベルが異なる。この場合には、ｎ−１番目の入力画像信号とｎ番目の入力画像信号との組合せ（Ｓ２５５、Ｓ６４）に応じたＯＳパラメータＳ０と、組合せ（Ｓ２５５、Ｓ６４）に応じた予測信号Ｓ１３４との階調レベルが異なる。言い換えれば、
ｎ番目の入力画像信号によって階調レベルをＳ２５５からＳ６４に遷移させるために、ｎ番目の入力画像信号Ｓ６４を補正して、補正されたｎ番目の入力画像信号（ＯＳパラメータ）Ｓ０に対応する電圧を印加しても、１フィールド後に実際に到達する到達階調レベルはＳ１３４である。
【００８６】
ｎ＋１番目の入力画像信号によって目標階調レベルをＳ１２８にする場合には、実際に到達する到達階調レベルＳ１３４に基づいてｎ＋１番目の入力画像信号Ｓ１２８を補正するのが望ましい。そこで、組合せ検出回路１２は、ＯＳパラメータテーブル１８から、組み合わせ（Ｓ１３４、Ｓ１２８）に応じたＯＳパラメータＳ１２０を計算により検出し、オーバーシュート電圧検出回路１３に出力する。
【００８７】
以上の説明から、組合せ検出回路１２は、ｎ−１番目の入力画像信号による階調（Ｓ２５５）からｎ番目の入力画像信号による階調（Ｓ６４）への階調遷移に対して、ｎ−１番目の入力画像信号とｎ番目の入力画像信号とが異なる階調レベルの場合に、予測テーブル１９を参照して得た到達階調レベル（Ｓ１３４）に基づいて、ｎ＋１番目の入力画像信号（Ｓ１２８）による目標階調レベルを補正する補正手段であると言える。ｎ−１番目の入力画像信号とｎ番目の入力画像信号とが異なる階調レベルであるか否かの判断は、例えば組合せ検出回路１２により行われる。また、ｎ−１番目の入力画像信号とｎ番目の入力画像信号との比較に代えて、あるいはこれとともに、ＯＳパラメータと予測信号（到達階調レベル）とを比較してもよく、あるいはｎ番目の入力画像信号と予測信号（到達階調レベル）とを比較しても良い。
【００８８】
一方、
ｎ−１番目の入力画像信号とｎ番目の入力画像信号との階調レベルが同じ場合には、階調レベルに変化がないので、ｎ−１番目の入力画像信号（階調レベル）、ｎ番目の入力画像信号（階調レベル）、ＯＳパラメータおよび予測信号（到達階調レベル）は、いずれも同じ値になる。例えば、ｎ−１番目の入力画像信号がＳ１２８、ｎ番目の入力画像信号がＳ１２８のとき、図６に示すＯＳパラメータテーブル１８からＯＳパラメータはＳ１２８であり、図７に示す予測テーブル１９から予測信号（到達階調レベル）はＳ１２８であることが分かる。
【００８９】
上記の通り、高階調から低階調に遷移する場合（例えば、Ｓ２５５からＳ０への遷移）や低階調から高階調に遷移する場合（例えば、Ｓ０からＳ２５５への遷移）では、オーバーシュート電圧を印加しても、液晶パネル１５への印加電圧が飽和するので、目標階調レベルに到達しないことがある。また、低温環境下では液晶応答速度が低下するので、中間調付近でも目標とする階調レベルに到達しなくなるおそれがある。本実施形態によれば、現フィールドで実際に到達する階調レベルの予測値に基づいて、次フィールドの入力画像信号を補正するので、目標とする階調レベルと実際に到達する階調レベルとの誤差が徐々に解消される。」
「【０１２２】
【発明の効果】
本発明によると、オーバーシュート電圧をより適切に判定できる液晶表示装置が提供される。本発明の液晶表示装置は、液晶応答の不足や過剰が軽減されるので、動画表示における残像現象による画像のボヤケ発生や動画像の輪郭の輝点が防止され、高品位の動画表示が可能となる。」
【図５】
【図６】
【図７】
【図１３】
（２）引用文献１に記載された発明の認定
　引用文献１の前記（１）の記載（特に下線を付した部分）によれば、以下のことが認められる。
ア　引用文献１には、動画表示に好適な液晶表示装置が記載されている（【０００１】）。
イ　引用文献１に記載された液晶表示装置では、前フィールドの入力画像信号Ｓと現フィールドの入力画像信号Ｓとを比較して現フィールドの入力画像信号Ｓに対応する階調電圧Ｖｇを補正し、その補正された階調電圧（オーバーシュート電圧）で液晶パネルを駆動するオーバーシュート駆動が用いられる（【００２３】、【００２８】）。
ウ　オーバーシュート電圧を検出するための入力画像信号Ｓの比較は、全ての画素のそれぞれに対する前フレームの入力画像信号Ｓと現フレームの入力画像信号Ｓとの間で行われる（【００２４】）。
エ　オーバーシュート電圧は、現フィールドの入力画像信号Ｓに対応する階調電圧Ｖｇが前フィールドの入力画像信号Ｓに対応する階調電圧Ｖｇより高い場合は、現フィールドの入力信号Ｓに対応する階調電圧Ｖｇよりさらに高い電圧であり、逆に、現フィールドの入力画像信号Ｓに対応する階調電圧Ｖｇが前フィールドの入力画像信号Ｓに対応する階調電圧Ｖｇより低い場合は、現フィールドの入力画像信号Ｓに対応する階調電圧Ｖｇよりさらに低い電圧である（【００２３】、【００２８】）。
オ　引用文献１に記載された液晶表示装置は、外部からの入力画像信号Ｓを受け取り、それに応じた駆動電圧を液晶パネル１５に供給する駆動回路１０ａを備え、駆動回路１０ａは、組合せ検出回路１２、オーバーシュート電圧検出回路１３、極性反転回路１４、予測値検出回路１６、予測値記憶回路１７、オーバーシュートパラメータテーブル（ＯＳパラメータテーブル）１８及び予測テーブル１９を有する（【００６７】、【００６８】、図５）。
カ　ＯＳパラメータテーブル１８には、予測値記憶回路１７に保持されている信号に対応する階調レベルと現フィールドの入力画像信号に対応する階調レベルとの代表的な組合せ毎に（すなわち、代表的な階調遷移パターン毎に）、オーバーシュート電圧に対応する目標階調レベル及び限界階調レベルが記録されており、その他の組合せについてのオーバーシュート電圧に対応する目標階調レベル又は限界階調レベルは、ＯＳパラメータテーブル１８に記録された目標階調レベル及び限界階調レベルから計算で求められる（【００７２】ないし【００７５】、図６）。
　ここで、目標階調レベルは、液晶パネル１５の光学応答を１フィールド内に完了させることを目標とする階調レベルであり、限界階調レベルは、目標階調レベルに達しない階調レベルであって、液晶パネル１５が表示可能な最大（又は最小）の階調レベルである（【００７２】、【００７４】、【００７５】）。
　なお、予測値記憶回路１７に保持されている信号に対応する階調レベル（Ｓ１２８）と現フィールドの入力画像信号に対応する階調レベル（Ｓ１２８）とが等しい場合のように、ＯＳパラメータ（Ｓ１２８）が現フィールドの入力画像信号に対応する階調レベル（Ｓ１２８）と等しいこともある（【００８８】、図６）。
キ　予測テーブル１９には、液晶パネル１５に目標階調レベル又は限界階調レベルに対応する電圧値を印加したときに、液晶パネル１５が１フィールド後に実際に到達する到達階調レベルが代表的な階調遷移パターン毎に予め測定されて記録されており、その他の階調遷移パターンについての到達階調レベルは、予測テーブル１９に記録された到達階調レベルから計算で求められる（【００７７】、【００７８】、図７）。
ク　ある画素についての入力画像信号Ｓがフィールド毎に例えばＳ２５５、Ｓ６４、Ｓ１２８の順に変化するときの２フィールドにわたる駆動回路１０ａの動作は、以下のとおりである（【００７９】）。
（ア）１フィールド目では、組合せ検出回路１２は、予測値記憶回路１７に保持されている信号（Ｓ２５５）と現フィールド（１フィールド目）の入力画像信号（Ｓ６４）との組合せを検出し、その組合せ（Ｓ２５５、Ｓ６４）に応じたＯＳパラメータ（Ｓ０）を、ＯＳパラメータテーブル１８を参照して検出し、オーバーシュート電圧検出回路１３に出力するとともに、その組合せ（Ｓ２５５、Ｓ６４）を示す組合せ信号を予測値検出回路１６に出力する（【００６９】、【００８０】、図６）。
　オーバーシュート電圧検出回路１３は、ＯＳパラメータ（Ｓ０）に対応する階調電圧（Ｖ０）を検出し、極性反転回路１４を介して液晶パネル１５に供給する（【００７１】、【００８１】）。
　予測値検出回路１６は、その組合せ（Ｓ２５５、Ｓ６４）を示す組合せ信号に応じた予測信号（Ｓ１３４）を、予測テーブル１９を参照して検出し、予測値記憶回路１７は、これを保持する（【００６９】、【００８２】、図７）。
（イ）２フィールド目では、組合せ検出回路１２は、予測値記憶回路１７に保持されている信号（Ｓ１３４）と現フィールド（２フィールド目）の入力画像信号（Ｓ１２８）との組合せを検出し、その組合せ（Ｓ１３４、Ｓ１２８）に応じたＯＳパラメータ（Ｓ１２０）を、ＯＳパラメータテーブル１８を参照して検出し、オーバーシュート電圧検出回路１３に出力するとともに、その組合せ（Ｓ１３４、Ｓ１２８）を示す組合せ信号を予測値検出回路１６に出力する（【００６９】、【００８３】、図６）。
　オーバーシュート電圧検出回路１３は、ＯＳパラメータ（Ｓ１２０）に対応する階調電圧（Ｖ１２０）を検出し、極性反転回路１４を介して液晶パネル１５に供給する（【００８３】）。
　予測値検出回路１６は、その組合せ（Ｓ１３４，Ｓ１２８）を示す組合せ信号に応じた予測信号（Ｓ１２８）を、予測テーブル１９を参照して検出し、予測値記憶回路１７は、これを保持する（【００６９】、【００８４】、図７）。
（ウ）ここで、予測テーブル１９には、液晶パネル１５に目標階調レベル又は限界階調レベルに対応する電圧レベルを印加したときに、液晶パネル１５が１フィールド後に実際に到達する到達階調レベルが予め測定されて記録されているから（前記キ）、１フィールド目に予測値記憶回路１７に保持される予測信号（Ｓ１３４）は、現フィールド（１フィールド目）の入力画像信号（Ｓ６４）を補正した入力画像信号であるＯＳパラメータ（Ｓ０）に対応する電圧（Ｖ０）を液晶パネル１５に印加したときに、液晶パネル１５が実際に到達する到達階調レベルである（【００８５】）。
　同様に、２フィールド目に予測値記憶回路１７に保持される予測信号（Ｓ１２８）は、現フィールド（２フィールド目）の入力画像信号（Ｓ１２８）を補正した入力画像信号であるＯＳパラメータ（Ｓ１２０）に対応する電圧（Ｖ１２０）を液晶パネル１５に印加したときに、液晶パネル１５が実際に到達する到達階調レベルである。
　そして、駆動回路１０ａの動作は、１フィールド目の直前のフィールドでも同様であるから、１フィールド目の最初の時点で予測値記憶回路１７に保持されている信号（Ｓ２５５）は、１フィールド目の直前のフィールドで液晶パネル１５が実際に到達した到達階調レベルである。
ケ　ここで、特に前記カ及びクに着目して、駆動回路１０ａの１フィールド目の動作をまとめると、引用文献１には、動画表示に好適な液晶表示装置の駆動方法として、以下の発明（以下、「引用発明」という。）が記載されている。
「液晶表示装置の液晶パネル１５をオーバーシュート駆動する方法であって、
　ある画素について、
　組合せ検出回路１２が、液晶パネル１５が現フィールド（１フィールド目）の直前のフィールドで実際に到達して予測値記憶回路１７に保持されている到達階調レベル（Ｓ２５５）と、現フィールド（１フィールド目）の入力画像信号（Ｓ６４）との組合せを検出し、
　組合せ検出回路１２が、その組合せ（Ｓ２５５、Ｓ６４）に応じたＯＳパラメータ（Ｓ０）を、ＯＳパラメータテーブル１８を参照して検出し、オーバーシュート電圧検出回路１３に出力し、
　組合せ検出回路１２が、その組合せ（Ｓ２５５、Ｓ６４）を示す組合せ信号を予測値検出回路１６に出力し、
　オーバーシュート電圧検出回路１３が、ＯＳパラメータ（Ｓ０）に対応する階調電圧（Ｖ０）を検出し、極性反転回路１４を介して液晶パネル１５に供給し、
　予測値検出回路１６が、その組合せ（Ｓ２５５、Ｓ６４）を示す組合せ信号に応じた、液晶パネルが現フィールド（１フィールド目）で実際に到達する到達階調レベル（Ｓ１３４）を、予測テーブル１９を参照して検出し、
　予測値記憶回路１７が、到達階調レベル（Ｓ１３４）を保持し、
　ＯＳパラメータテーブル１８には、予測値記憶回路１７に保持されている信号に対応する階調レベルと現フィールドの入力画像信号に対応する階調レベルとの代表的な組合せ毎に、オーバーシュート電圧に対応する目標階調レベル及び限界階調レベルが記録されており、その他の組合せについてのオーバーシュート電圧に対応する目標階調レベル又は限界階調レベルは、ＯＳパラメータテーブル１８に記録された目標階調レベル及び限界階調レベルから計算で求められ、
　目標階調レベルは、液晶パネル１５の光学応答を１フィールド内に完了させることを目標とする階調レベルであり、限界階調レベルは、目標階調レベルに達しない階調レベルであって、液晶パネル１５が表示可能な最大（又は最小）の階調レベルであり、
　予測値記憶回路１７に保持されている信号に対応する階調レベル（Ｓ１２８）と現フィールドの入力画像信号に対応する階調レベル（Ｓ１２８）とが等しい場合のように、ＯＳパラメータ（Ｓ１２８）が現フィールドの入力画像信号に対応する階調レベル（Ｓ１２８）と等しいこともある
方法。」
４　本願発明と引用発明との一致点及び相違点
（１）対比
　本願発明と引用発明とを対比すると、以下のとおりである。
ア　引用発明の「液晶表示装置の液晶パネル１５」は、本願発明の「ディスプレイ」に相当し、引用発明の「オーバーシュート駆動」は、本願発明の「オーバドライブ」に相当するから、引用発明の「液晶表示装置の液晶パネル１５をオーバーシュート駆動する方法」は、本願発明の「ディスプレイをオーバドライブする方法」に相当する。
イ　引用発明の「予測値記憶回路１７に保持されている到達階調レベル（Ｓ２５５）」は、「液晶パネル１５が現フィールド（１フィールド目）の直前のフィールドで実際に到達して」いるものであるから、液晶パネル１５に現在表示されている階調レベルにほかならない。したがって、前記アを踏まえると、引用発明の「液晶パネル１５が現フィールド（１フィールド目）の直前のフィールドで実際に到達して予測値記憶回路１７に保持されている到達階調レベル（Ｓ２５５）」は、本願発明の「前記ディスプレイ上に現在表示されているディスプレイの画素を示す現在の画素強度レベル」に相当する。
　そして、引用発明の「組合せ検出回路１２」は、「液晶パネル１５が現フィールド（１フィールド目）の直前のフィールドで実際に到達して予測値記憶回路１７に保持されている到達階調レベル（Ｓ２５５）と、現フィールド（１フィールド目）の入力画像信号（Ｓ６４）との組合せを検出」する際に、「予測値記憶回路１７に保持されている到達階調レベル（Ｓ２５５）」を「予測値記憶回路１７」からの信号として受け取っていることが明らかであるから、引用発明は、本願発明の「前記ディスプレイ上に現在表示されているディスプレイの画素を示す現在の画素強度レベルを」「受信すること」に相当する構成を備えている。
ウ　引用発明の「現フィールド（１フィールド目）の入力画像信号（Ｓ６４）」は、それに対応する階調レベルを「液晶表示装置の液晶パネル１５」上に実現することを意図するものであり、いわば、「液晶表示装置の液晶パネル１５」上に実現するべき階調レベルの目標を表すものであるから、前記アを踏まえると、本願発明の「前記ディスプレイの前記画素に対応する目標画素強度レベル」に相当する。
　そして、引用発明の「組合せ検出回路１２」は、「液晶パネル１５が現フィールド（１フィールド目）の直前のフィールドで実際に到達して予測値記憶回路１７に保持されている到達階調レベル（Ｓ２５５）と、現フィールド（１フィールド目）の入力画像信号（Ｓ６４）との組合せを検出」する際に、「現フィールド（１フィールド目）の入力画像信号（Ｓ６４）」を外部から入力される信号として受け取っていることが明らかであるから、引用発明は、本願発明の「前記ディスプレイの前記画素に対応する目標画素強度レベルを」「受信すること」に相当する構成を備えている。
エ　引用発明の「組合せ検出回路１２」が「予測値記憶回路１７に保持されている到達階調レベル（Ｓ２５５）と、現フィールド（１フィールド目）の入力画像信号（Ｓ６４）との組合せを検出」するのは、「その組合せ（Ｓ２５５、Ｓ６４）に応じたＯＳパラメータ（Ｓ０）を、ＯＳパラメータテーブル１８を参照して検出」するためであるから、引用発明の「組合せ検出回路１２」は、「予測値記憶回路１７に保持されている到達階調レベル（Ｓ２５５）」と「現フィールド（１フィールド目）の入力画像信号（Ｓ６４）」とを比較し、その結果に基づいて「ＯＳパラメータ（Ｓ０）」を決定しているということができる。
　したがって、前記イ及びウを踏まえると、引用発明は、本願発明の「前記目標画素強度レベルを前記現在の画素強度レベルと比較すること」に相当する構成を備えている。
オ　引用発明の「組合せ検出回路１２」は、「予測値記憶回路１７に保持されている到達階調レベル（Ｓ２５５）と、現フィールド（１フィールド目）の入力画像信号（Ｓ６４）との組合せを検出し、」「その組合せ（Ｓ２５５、Ｓ６４）に応じたＯＳパラメータ（Ｓ０）を、ＯＳパラメータテーブル１８を参照して検出」することで、「現フィールド（１フィールド目）の入力画像信号（Ｓ６４）」を、それとは異なる「ＯＳパラメータ（Ｓ０）」に調整している。
　その一方、「予測値記憶回路１７に保持されている信号に対応する階調レベル（Ｓ１２８）と現フィールドの入力画像信号に対応する階調レベル（Ｓ１２８）とが等しい場合のように、ＯＳパラメータ（Ｓ１２８）が現フィールドの入力画像信号に対応する階調レベル（Ｓ１２８）と等しいこともある」から、引用発明の「組合せ検出回路１２」は、「予測値記憶回路１７に保持されている信号に対応する階調レベル（Ｓ１２８）と現フィールドの入力画像信号に対応する階調レベル（Ｓ１２８）とが等しい場合」には、「現フィールドの入力画像信号に対応する階調レベル（Ｓ１２８）」を調整することなく、それをそのまま「ＯＳパラメータ（Ｓ１２８）」とするものである。
　そうすると、引用発明の「組合せ検出回路１２」は、「予測値記憶回路１７に保持されている到達階調レベル（Ｓ２５５）と、現フィールド（１フィールド目）の入力画像信号（Ｓ６４）との組合せ」に応じて、「現フィールド（１フィールド目）の入力画像信号（Ｓ６４）」を調整するか否かを決定しているということができる。
　ここで、本願発明の「ピクチャフレーム」は、「ディスプレイ上に現在表示されているディスプレイの画素」の全てを指すと解される。そして、本願発明の「前記目標ピクチャフレームと前記現在のピクチャフレームとの前記比較」における「前記比較」は、「前記目標画素強度レベルを前記現在の画素強度レベルと比較すること」であるから、「前記目標ピクチャフレームと前記現在のピクチャフレームとの前記比較」は、「前記目標画素強度レベルを前記現在の画素強度レベルと比較すること」を「ディスプレイ上に現在表示されているディスプレイの画素」の全てについて行うことと解される。
　したがって、前記イないしエを踏まえると、引用発明は、本願発明の「前記目標ピクチャフレームと前記現在のピクチャフレームとの前記比較に基づいて、前記目標ピクチャフレームに対する調整が行われるべきであると決定すること」と、「前記目標画素強度レベルと前記現在の画素強度レベルとの前記比較に基づいて、前記目標画素強度レベルに対する調整が行われるべきであると決定すること」である点で共通する構成を備えている。
カ　引用発明の「組合せ検出回路１２」が「予測値記憶回路１７に保持されている到達階調レベル（Ｓ２５５）と、現フィールド（１フィールド目）の入力画像信号（Ｓ６４）との組合せを検出し、」「その組合せ（Ｓ２５５、Ｓ６４）に応じたＯＳパラメータ（Ｓ０）を、ＯＳパラメータテーブル１８を参照して検出」することは、その「ＯＳパラメータ（Ｓ０）」の出力先である「オーバーシュート電圧検出回路１３」が「ＯＳパラメータ（Ｓ０）に対応する階調電圧（Ｖ０）を検出し、極性反転回路１４を介して液晶パネル１５に供給」するものであること及び前記アないしオを踏まえると、本願発明の「前記調整が行われるべきであると決定することに応じて、前記ディスプレイの前記画素に対応する調整画素強度レベルを」「生成すること」に相当し、したがって、引用発明の「ＯＳパラメータ（Ｓ０）」は、本願発明の「調整画素強度レベル」に相当する。
キ　引用発明の「ＯＳパラメータ（Ｓ０）」は、「予測値記憶回路１７に保持されている到達階調レベル（Ｓ２５５）」から「現フィールド（１フィールド目）の入力画像信号（Ｓ６４）」を越える階調レベルに設定されているから、前記カを踏まえると、引用発明は、本願発明の「前記調整画素強度レベルは前記ディスプレイの前記画素を前記目標画素強度レベルを超えてオーバドライブする」に相当する構成を備えている。
ク　引用発明の「現フィールド（１フィールド目）」は、本願発明の「規定された期間」に相当し、引用発明の「液晶パネルが現フィールド（１フィールド目）で実際に到達する到達階調レベル（Ｓ１３４）」は、本願発明の「達成可能ピクチャフレーム」に含まれる「画素」に対応する画素強度レベルに相当する。
　したがって、引用発明の「組合せ検出回路１２が、液晶パネル１５が現フィールド（１フィールド目）の直前のフィールドで実際に到達して予測値記憶回路１７に保持されている到達階調レベル（Ｓ２５５）と、現フィールド（１フィールド目）の入力画像信号（Ｓ６４）との組合せを検出し、」「その組合せ（Ｓ２５５、Ｓ６４）を示す組合せ信号を予測値検出回路１６に出力し、」「予測値検出回路１６が、その組合せ（Ｓ２５５、Ｓ６４）を示す組合せ信号に応じた、液晶パネルが現フィールド（１フィールド目）で実際に到達する到達階調レベル（Ｓ１３４）を、予測テーブル１９を参照して検出」することと、本願発明の「前記調整ピクチャフレームに基づいて、規定された期間内に達成可能な達成可能ピクチャフレームを生成すること」とは、「規定された期間内に達成可能な達成可能画素強度レベルを生成すること」である点で共通する。
ケ　前記イ及びクを踏まえると、引用発明の「予測値記憶回路１７が、到達階調レベル（Ｓ１３４）を保持」することと、本願発明の「前記達成可能ピクチャフレームを前記現在のピクチャフレームとして格納すること」とは、「達成可能画素強度レベルを現在の画素強度レベルとして格納すること」である点で共通する。
（２）一致点及び相違点
　前記（１）の対比の結果をまとめると、本願発明と引用発明との一致点及び相違点は、以下のとおりである。
ア　一致点
「ディスプレイをオーバドライブする方法であって、
　前記ディスプレイ上に現在表示されているディスプレイの画素を示す現在の画素強度レベルを受信することと、
　前記ディスプレイの前記画素に対応する目標画素強度レベルを受信することと、
　前記目標画素強度レベルを前記現在の画素強度レベルと比較することと、
　前記目標画素強度レベルを前記現在の画素強度レベルとの前記比較に基づいて、前記目標画素強度レベルに対する調整が行われるべきであると決定することと、
　前記調整が行われるべきであると決定することに応じて、前記ディスプレイの前記画素に対応する調整画素強度レベルを生成することであって、前記調整画素強度レベルは前記ディスプレイの前記画素を前記目標画素強度レベルを超えてオーバドライブする、生成することと、
　規定された期間内に達成可能な達成可能画素強度レベルを生成することと、
　前記達成可能画素強度レベルを前記現在の画素強度レベルとして格納することと、
を含む方法。」
イ　相違点
（ア）相違点１
　現在の画素強度レベルを受信すること、目標画素強度レベルを受信すること、目標画素強度レベルを現在の画素強度レベルと比較すること、目標画素強度レベルに対する調整、調整画素強度レベルを生成すること、達成可能画素強度レベルを生成すること、及び達成可能画素強度レベルを現在の画素強度レベルとして格納することが、本願発明では、いずれも「現在の画素強度レベルを含む現在のピクチャフレーム」、「目標画素強度レベルを含む目標ピクチャフレーム」、「調整画素強度レベルを含む調整ピクチャフレーム」及び「達成可能ピクチャフレーム」に対して行われるのに対し、引用発明では「ある画素について」行われる点。
（イ）相違点２
　本願発明では、「調整画素強度レベル」が「前記ディスプレイの前記画素を前記目標画素強度レベルを超えてオーバドライブすることにより達成される、前記目標画素強度レベルに近接する値を有する」のに対し、引用発明では、「ＯＳパラメータ（Ｓ０）」（本願発明の「調整画素強度レベル」に相当する。）が「予測値記憶回路１７に保持されている到達階調レベル（Ｓ２５５）」から「現フィールド（１フィールド目）の入力画像信号（Ｓ６４）」を越える階調レベルに設定されていることで、本願発明の「前記ディスプレイの前記画素を前記目標画素強度レベルを超えてオーバドライブする」に相当する構成を備えているものの、そのこと「により達成される、前記目標画素強度レベルに近接する値を有する」に相当する構成を備えているかは不明である点。
（ウ）相違点３
　本願発明では、「規定された期間内に達成可能な達成可能ピクチャフレームを」「前記調整ピクチャフレームに基づいて」「生成」するから、「達成可能ピクチャフレーム」に含まれる達成可能画素強度レベルは、「調整画素強度レベル」に基づいて生成されるのに対し、引用発明では、「予測値検出回路１６が、その組合せ（Ｓ２５５、Ｓ６４）を示す組合せ信号に応じた、液晶パネルが現フィールド（１フィールド目）で実際に到達する到達階調レベル（Ｓ１３４）を、予測テーブル１９を参照して検出」するから、「到達階調レベル（Ｓ１３４）」（本願発明の「達成可能ピクチャフレーム」に含まれる達成可能画素強度レベルに相当する。）は、「予測値記憶回路１７に保持されている到達階調レベル（Ｓ２５５）」及び「現フィールド（１フィールド目）の入力画像信号（Ｓ６４）」（本願発明の「現在の画像強度レベル」及び「目標画素強度レベル」に相当する。）に基づいて生成される点。
５　相違点についての判断
（１）相違点１について
　引用文献１には、「オーバーシュート電圧を検出するための入力画像信号Ｓの比較は、全ての画素のそれぞれに対する前垂直期間の入力画像信号Ｓと現垂直期間の入力画像信号Ｓとの間で行われる。１フレームの画像情報が複数のフィールドに分割されるインターレース駆動の場合でも、１フレーム前のその画素に対する入力画像信号Ｓや上下のラインの入力画像信号Ｓが補完信号として使用され、１垂直期間中に全ての画素に相当する信号が与えられる。そして、前フィールドと現フィールドのこれらの入力画像信号Ｓが比較される。」（【００２４】）と記載されているから、引用発明では、「現フィールド（１フィールド目）の入力画像信号（Ｓ６４）」は、「液晶表示装置の液晶パネル１５」の全ての画素について与えられるものであり、「予測値記憶回路１７に保持されている到達階調レベル（Ｓ２５５）と、現フィールド（１フィールド目）の入力画像信号（Ｓ６４）との組合せ」の「検出」も、「液晶表示装置の液晶パネル１５」の全ての画素について行われる。
　そうすると、引用発明では、「その組合せ（Ｓ２５５、Ｓ６４）に応じたＯＳパラメータ（Ｓ０）」の「検出」も、「その組合せ（Ｓ２５５、Ｓ６４）を示す組合せ信号に応じた」「到達階調レベル（Ｓ１３４）」の「検出」も、「到達階調レベル（Ｓ１３４）」の「保持」も、「液晶表示装置の液晶パネル１５」の全ての画素について行われることになる。
　これは、本願発明の「ピクチャフレーム」が「ディスプレイ上に現在表示されているディスプレイの画素」の全てを指すと解されることを踏まえると（前記４（１）オ）、引用発明におけるこれらの「検出」又は「保持」が、本願発明でいう「ピクチャフレーム」に対して行われることにほかならない。
　したがって、相違点１は、実質的な相違点ではない。
（２）相違点２について
　引用発明は、「予測値記憶回路１７に保持されている到達階調レベル（Ｓ２５５）」と「現フィールド（１フィールド目）の入力画像信号（Ｓ６４）」との「組合せ（Ｓ２５５、Ｓ６４）」について認定されたものであるが、「組合せ（Ｓ２５５、Ｓ６４）」以外の組合せに適用できることは当然である。
　そこで、例えば組合せ（Ｓ１２８、Ｓ９６）を考えると、引用文献１の図６及び図７から、ＯＳパラメータはＳ６２であり、到達階調レベルはＳ９７であることが読み取れる。すなわち、これらの図には、ＯＳパラメータ（Ｓ６２）が、予測値記憶回路１７に保持されている到達階調レベル（Ｓ１２８）から現フィールド（１フィールド目）の入力画像信号（Ｓ９６）を越える階調レベル（Ｓ６２）に設定された結果、現フィールド（１フィールド目）の入力画像信号（Ｓ９６）に近接する値である到達階調レベル（Ｓ９７）を有するようになることが示されている。
　これは、本願発明の「調整画素強度レベル」が「前記ディスプレイの前記画素を前記目標画素強度レベルを超えてオーバドライブすることにより達成される、前記目標画素強度レベルに近接する値を有する」ことに相当する。
　したがって、相違点２は、実質的な相違点ではない。
（３）相違点３について
　引用発明の「到達階調レベル（Ｓ１３４）」は、「予測値記憶回路１７に保持されている到達階調レベル（Ｓ２５５）」にある画素を「ＯＳパラメータ（Ｓ０）」で駆動したときに実際に到達すると予測される階調レベルであるから、もともとは「予測値記憶回路１７に保持されている到達階調レベル（Ｓ２５５）」及び「ＯＳパラメータ（Ｓ０）」という２つのパラメータによって決まるものである。
　そうである以上、引用発明において、「到達階調レベル（Ｓ１３４）」（本願発明の「達成可能ピクチャフレーム」に含まれる達成可能画素強度レベルに相当する。）を、「予測値記憶回路１７に保持されている到達階調レベル（Ｓ２５５）」及び「現フィールド（１フィールド目）の入力画像信号（Ｓ６４）」に基づいて生成するのではなく、もともと「到達階調レベル（Ｓ１３４）」を決める２つのパラメータである「予測値記憶回路１７に保持されている到達階調レベル（Ｓ２５５）」（同じく「現在の画素強度レベル」に相当する。）及び「ＯＳパラメータ（Ｓ０）」（同じく「調整画素強度レベル」に相当する。）に基づいて生成するようにすることは、当業者にとって自明のことである。
　その結果、相違点３に係る本願発明の構成が得られることは明らかである。
（４）本願発明が奏する効果について
　前記２（２）のとおり、本願発明は、液晶ディスプレイ（ＬＣＤ）の画素の応答時間がＬＣＤのリフレッシュ期間を上回るほど長くなると、ユーザにとって望ましくない画面アーチファクトが表示されるので、画素の応答時間を短くする必要があるという課題を解決しようとするものである。したがって、本願発明は、画素の応答時間を短くすることができ、画質を向上させることができるという効果を奏するものと認められる。
　これに対して、引用発明は、液晶応答の高速化という課題を解決するとともに、目標の階調に到達していない状態で次フィールドの駆動を行うと誤差が蓄積する結果、動画表示で残像現象による画像のボヤケが発生したり、動画像の輪郭に輝点が表示されたりするという課題を解決しようとするものである（引用文献【０００９】ないし【００１１】）。そして、オーバーシュート電圧をより適切に判定でき、液晶応答の不足や過剰が軽減されるので、動画表示における残像現象による画像のボヤケ発生や動画像の輪郭の輝点が防止され、高品位の動画表示が可能となるという効果を奏するものである（同【０１２２】）。
　そうすると、引用発明が奏する効果は、画素の応答時間の短縮及びそれによる画質の向上という点で、本願発明が奏する効果と共通するものである。
　したがって、本願発明の効果は、引用発明が奏する効果から予測される範囲内のものにすぎず、格別顕著なものということはできない。
６　請求人の主張について
　請求人は、審判請求書において種々の主張をするが、それらはいずれも、本件補正後の特許請求の範囲の記載を前提とするものである。
　しかし、前記第２のとおり、本件補正は却下されたので、請求人の主張は、いずれも当を得ない。
７　むすび
　以上に述べたとおり、本願発明は、引用文献１に記載された発明に基づいて、当業者が容易に発明をすることができたものであるから、特許法第２９条第２項の規定により特許を受けることができない。
　したがって、他の請求項に係る発明について審理するまでもなく、本願は拒絶するべきものである。
　よって、結論のとおり審決する。